(57)【特許請求の範囲】
【請求項１】
記録媒体に映像信号を記録する記録手段と、前記記録媒体に記録されている前記映像信号を再生する再生手段と、前記映像信号に区切りを示すチャプターを設定するチャプター設定手段とを備える映像信号記録再生装置において、
前記チャプター設定手段は、前記記録媒体に記録されている前記映像信号の総記録時間に応じて前記チャプターを設定するように構成してあり、前記チャプター設定手段が設定するチャプターの数を受け付けるチャプター数受付手段と、前記チャプターの間隔の比率を受け付ける手段とを備え、前記チャプター設定手段は、受け付けたチャプター数及び比率に応じて前記チャプターを設定することを特徴とする映像信号記録再生装置。
【請求項２】
前記映像信号に任意のチャプターを受け付けるチャプター受付手段を備えることを特徴とする請求項１記載の映像信号記録再生装置。
【請求項３】
前記チャプター設定手段で設定されたチャプターを解除するとともに、前記記録媒体から前記映像信号を他の記録媒体にダビングさせる手段を備えることを特徴とする請求項２に記載の映像信号記録再生装置。
【請求項４】
前記映像信号の再生箇所を所定の時間分ジャンプさせる手段を備えることを特徴とする請求項１乃至請求項３の何れかひとつに記載の映像信号記録再生装置。
【請求項５】
前記所定の時間を受け付ける時間受付手段を備えることを特徴とする請求項４に記載の映像信号記録再生装置。
【請求項６】
前記所定の時間を前記総記録時間に応じて決定する時間決定手段を備えることを特徴とする請求項４に記載の映像信号記録再生装置。
【請求項７】
分割値を受け付ける手段と、受け付けた分割値で前記総記録時間を等分してジャンプさせる時間を決定する時間決定手段と、前記映像信号の再生箇所を時間決定手段で決定した時間分だけジャンプさせる手段とを備えることを特徴とする請求項１乃至３の何れかひと
つに記載の映像信号記録再生装置。  
【発明の詳細な説明】
【技術分野】
【０００１】
本発明は、映像信号記録再生装置に関し、特に、映像の区切りを示すチャプターを自動的に設定して編集が簡単に行える映像信号記録再生装置に関する。
【背景技術】
【０００２】
映像信号記録再生装置は、映像信号を記録媒体に記録する記録手段と、記録媒体に記録されている映像信号を再生する再生手段とを備えたものである。記録媒体には、磁気テープ、ハードディスク、ＤＶＤ（Digital Video Disc）等がある。特にハードディスク、ＤＶＤは、記録されている映像信号へのランダムアクセスの点で磁気テープよりも優れているので、映像信号記録再生装置は、記録媒体に記録されている映像信号の任意の箇所からすばやく再生を行うことができる。
【０００３】
さらに、チャプターと呼ばれる区切りを示す情報を映像信号に設定したときには、チャプターによって見たい場面をすぐに再生させることが可能となる。このように編集に際して映像信号にチャプターが設定される。
【０００４】
編集をすべて手作業で行うのは、編集者が映像を見ながら見たい場面を探す必要があるので、面倒である。
【０００５】
そこで、従来の映像信号記録再生装置は、特許文献１に記載されているように、テレビジョン放送の録画時のように映像信号を記録媒体に記録する時、指定した時間間隔（例えば、５分）ごとに自動的にチャプターを設定するようになっている。
【特許文献１】特開２００４−２６０４５２号公報
【発明の開示】
【発明が解決しようとする課題】
【０００６】
しかしながら、特許文献１に記載の映像信号記録再生装置は、指定した時間間隔ごとにチャプターを設定するため、映像信号の記録時間によってチャプター数が変化する。記録時間が長時間である映像信号を記録したときには多数のチャプターが作成される。この結果、見たい場面を多数のチャプターの中から探すことになり、使いにくい。逆に、記録時間が短時間である映像信号を記録したときには設定されるチャプター数が少なくなるので、見たい場面を探すのにチャプターを使用する機会が少ない。
【０００７】
本発明は、このような問題点を解決するものであり、映像信号の総記録時間に応じてチャプターを自動的に設定することにより、編集が簡単に行える映像信号記録再生装置を提供することを目的とする。
【０００８】
また、本発明は、自動的に設定するチャプターの数を受け付けるチャプター数受付手段を設けることにより、編集が簡単に行える映像信号記録再生装置を提供することを目的とする。
【００１０】
また、本発明は、チャプターの間隔の比率を受け付ける手段を設けることにより、重要箇所付近に密にチャプターを設定することができる映像信号記録再生装置を提供することを目的とする。
【００１１】
また、本発明は、映像信号の任意の箇所にチャプターを入力するチャプター入力手段を設けることにより、編集者が、映像の見たい場面にチャプタ−を入力することができる映像信号記録再生装置を提供することを目的とする。
【００１２】
また、本発明は、記録媒体に記録されている映像信号を他の記録媒体にダビングする時に不必要なチャプターを解除する手段を設けることにより、ダビングされた映像信号は必要なチャプターが残るため再生に便利となる映像信号記録再生装置を提供することを目的とする。
【００１３】
また、本発明は、映像信号の再生箇所をジャンプさせる手段を設けることにより、編集者が映像信号から見たい場面を探すのが簡単に行える映像信号記録再生装置を提供することを目的とする。
【００１４】
また、本発明は、ジャンプさせる時間を受け付ける時間受付手段を設けることにより、編集が簡単に行える映像信号記録再生装置を提供することを目的とする。
【００１５】
また、本発明は、ジャンプさせる時間を映像信号の総記録時間に応じて設定する時間設定手段を設けることにより、総記録時間に応じて再生箇所をジャンプさせる時間が調整される映像信号記録再生装置を提供することを目的とする。
【課題を解決するための手段】
【００１７】
本発明に係る映像信号記録再生装置は、記録媒体に映像信号を記録する記録手段と、前記記録媒体に記録されている前記映像信号を再生する再生手段と、前記映像信号に区切りを示すチャプターを設定するチャプター設定手段とを備える映像信号記録再生装置におい
て、前記チャプター設定手段は、前記記録媒体に記録されている前記映像信号の総記録時間に応じて前記チャプターを設定するように構成してあり、前記チャプター設定手段が設定するチャプターの数を受け付けるチャプター数受付手段と、前記チャプターの間隔の比率を受け付ける手段とを備え、前記チャプター設定手段は、受け付けたチャプター数及び比率に応じて前記チャプターを設定することを特徴とする。
【００２１】
また、本発明に係る映像信号記録再生装置は、前記映像信号に任意のチャプターを受け付けるチャプター受付手段を備えることを特徴とする。
【００２２】
また、本発明に係る映像信号記録再生装置は、前記チャプター設定手段で設定されたチャプターを解除するとともに、前記記録媒体から前記映像信号を他の記録媒体にダビングさせる手段を備えることを特徴とする。
【００２３】
また、本発明に係る映像信号記録再生装置は、前記映像信号の再生箇所を所定の時間分ジャンプさせる手段を備えることを特徴とする。
【００２４】
また、本発明に係る映像信号記録再生装置は、前記所定の時間を受け付ける時間受付手段を備えることを特徴とする。
【００２５】
また、本発明に係る映像信号記録再生装置は、前記所定の時間を前記総記録時間に応じて決定する時間決定手段を備えることを特徴とする。
【００２６】
また、本発明に係る映像信号記録再生装置は、分割値を受け付ける手段と、受け付けた分割値で前記総記録時間を等分してジャンプさせる時間を決定する時間決定手段と、前記映像信号の再生箇所を時間決定手段で決定した時間分だけジャンプさせる手段とを備えることを特徴とする。
【００２８】
本発明では、まず記録手段が映像信号を記録媒体に記録する。次に、映像信号の総記録時間に応じてチャプター設定手段は映像信号にチャプターを設定する。総記録時間に応じてチャプターが設定されるので、様々な総記録時間の映像信号に対して適切にチャプターが設定される。チャプター設定手段は、受け付けたチャプター数と、チャプター間の比率を受け付ける手段で設定された比率とに応じて、映像信号にチャプターを設定する。例え
ば、チャプターの数を４としたとき、比率１：３：１：１というように設定する。
【００３２】
また、本発明では、編集者が映像の見たい場面にチャプター入力手段でチャプターを入力する。
【００３３】
また、本発明では、まず映像信号にチャプター設定手段でチャプターが自動的に設定される。次に、編集者がチャプター入力手段で見たい場面にチャプターを入力する。記録媒体に記録されている映像信号を他の記録媒体にダビングする時に、映像信号記録再生装置は、チャプター設定手段で自動的に設定されたチャプターを解除するとともに、編集者が入力したチャプターを残す。
【００３４】
また、本発明では、再生箇所を所定の時間分ジャンプさせる手段が設けられている。したがって、再生時に再生箇所をジャンプさせることによって、簡単に映像信号から見たい場面を探すことができる。
【００３５】
また、本発明では、時間受付手段がジャンプさせる時間を受け付ける。ジャンプさせる時間を編集者が希望する時間に受け付けることができる。
【００３６】
また、本発明では、記録媒体に記録されている映像信号の総記録時間に応じて時間設定手段がジャンプさせる時間を設定する。例えば、総記録時間が長くなるにつれて、ジャンプさせる時間が長くなるにように構成されている。
【００３７】
また、本発明では、分割値を受け付ける手段で分割値が受け付けされ、受け付けた分割値で総記録時間を等分し、等分した時間がジャンプさせる時間として求められる。
【発明の効果】
【００３８】
本発明では、記録媒体に記録されている映像信号の総記録時間に応じてチャプターが映像信号に自動的に設定される。したがって、様々な総記録時間の映像信号に対して適切にチャプターが設定され、編集が簡単に行える。
【００３９】
また、本発明では、編集者が希望するチャプター数を入力するようになっているので、編集が簡単に行える。
【００４１】
また、本発明では、入力されたチャプター数とチャプターのそれぞれの時間の比率に応じてチャプターが設定される。例えば、重要箇所付近にチャプターを密に設定することができるので、編集に便利である。
【００４２】
また、本発明では、編集者が映像の見たい場面にチャプター入力手段でチャプターを入力することができる。したがって、映像信号を再生するとき、チャプターを指定することにより、見たい場面の再生をすばやく行うことができる。
【００４３】
また、本発明では、記録媒体に記録されている映像信号を他の記録媒体にダビングする時に映像信号記録再生装置は、チャプター設定手段で自動的に設定されたチャプターを解除し、編集者が入力したチャプターを残すので、ダビングされた映像信号では、残ったチャプターで再生箇所を指定することによって、素早く簡単に見たい場面の再生を行うことができる。
【００４４】
また、本発明では、再生箇所をジャンプさせる手段が設けられている。したがって、再生時に再生箇所をジャンプさせることによって、簡単に映像信号から見たい場面を探すことができる。
【００４５】
また、本発明では、ジャンプさせる時間を受け付ける手段が設けられているので、映像
信号の総記録時間に応じて適当な時間となるように編集者がジャンプさせる時間を受け付ける。
【００４６】
また、本発明では、ジャンプさせる時間を記録媒体に記録されている映像信号の総記録時間に応じて時間設定手段が設定するので、様々な総記録時間の映像信号に対してジャンプする時間が適切な時間となる。
【００４７】
また、本発明では、ジャンプする時間は映像信号の総記録時間を分割値で等分した時間であり、分割値は編集者によって入力されるように構成されているので、編集が簡単に行えるように分割値を入力することができる。
【発明を実施するための最良の形態】
【００４８】
以下、本発明の実施形態について図１〜図２３に基づいて説明する。図１は本実施形態のチューナ・ハードディスク内蔵型ＤＶＤレコーダ（以下レコーダという）のブロック図である。レコーダは、レコーダ本体１とリモートコントローラ２とを備えている。
【００４９】
レコーダ本体１は、内蔵されているハードディスク５ａに磁気ヘッドを使用して映像信号及び音声信号（以下これらを併せて映像信号と略記する）の記録及び再生を行うハードディスクドライブ（以下ＨＤＤという）６ａと、ＤＶＤ５ｂにレーザ光を照射することにより映像信号の記録及び再生を行うＤＶＤドライブ６ｂと、記憶部を内蔵している制御部７と、入力端子９から入力される映像信号を処理する映像入力部８と、制御部７から与えられる映像信号を処理して出力端子１１及び１２に出力する映像出力部１０と、操作キー１３と、リモートコントローラ２から出力される操作信号を受信する受信部１４と、アンテナ端子１５にアンテナ４から与えられる放送電波から復調して映像信号を映像入力部８へ出力するチューナ１６とを、扁平な直方体のケースに収容して成るものである。ＤＶＤドライブ６ｂはＤＶＤ５ｂの装填及び取り出しが可能となっている。
【００５０】
液晶ディスプレイ３は、レコーダ本体１の出力端子１１又は１２に接続される。液晶ディスプレイ３はレコーダ本体１から与えられる映像信号に対応する映像を表示する。
【００５１】
ＨＤＤ６ａはハードディスク５ａに映像信号及び音声信号の記録を行う一方、ハードディスク５ａに記録されている映像信号の再生を行う。ＤＶＤドライブ６ｂは、装填されたＤＶＤ５ｂに映像信号の記録を行う一方、ＤＶＤ５ｂに記録されている映像信号の再生を行う。
【００５２】
制御部７は、映像を液晶ディスプレイ３に表示するときは、ＨＤＤ６ａ、ＤＶＤドライブ６ｂ又は映像入力部８から与えられる映像信号を映像出力部１０へ出力する。
【００５３】
制御部７は、ＤＶＤ５ｂに映像信号を記録するときは、ＨＤＤ６ａ又は映像入力部８から与えられる映像信号をＤＶＤドライブ６ｂへ出力する。制御部７は、ハードディスク５ａに映像信号を記録するときは、ＤＶＤドライブ６ｂ又は映像入力部８から与えられる映像信号をＨＤＤ６ａへ出力する。
【００５４】
制御部７は、映像を液晶ディスプレイ３に表示しつつ、映像信号をハードディスク５ａ又はＤＶＤ５ｂに記録するときは、映像入力部８から与えられる映像信号を映像出力部１０へ出力するとともにＨＤＤ６ａ又はＤＶＤドライブ６ｂへ出力する。
【００５５】
映像出力部１０は、制御部７から与えられる映像信号を処理して、出力端子１１及び１２へ出力する。アンテナ４で受信した放送電波がアンテナ端子１５よりレコーダ本体１に入力され、チューナ１６に与えられる。チューナ１６は、放送電波から復調して映像信号を映像入力部８へ出力する。
【００５６】
映像入力部８は、入力端子９に他のＤＶＤプレーヤ、ビデオデッキ等から入力される映像信号及びチューナ１６から与えられる映像信号を処理して制御部７へ出力する。
【００５７】
レコーダはダビング可能となっており、ＨＤＤ６ａでハードディスク５ａから再生された映像信号は制御部７によってＤＶＤドライブ６ｂに与えられ、ＤＶＤ５ｂに記録される。逆に、ＤＶＤドライブ６ｂでＤＶＤ５ｂから再生された映像信号は制御部７によってＨＤＤ６ａに与えられ、ハードディスク５ａに記録される。
【００５８】
リモートコントローラ２は、再生、停止、録画、チャプターの指定、タイムジャンプ、チャプターの自動設定等を受け付けるキーを備え、キー操作されることによって操作信号を出力する。受信部１４はリモートコントローラ２から出力される操作信号を受信し、制御部７へ出力する。操作キー１３はリモートコントローラ２で使用頻度の高いもの及びＤＶＤ５ｂをＤＶＤドライブ６ｂから取り出すことを制御部７へ指示する取り出しキーがレコーダ本体１のケースに設けられている。
【００５９】
図２はリモートコントローラ２の操作キーの詳細を示す平面図である。数字キー２１は「０」から「９」までの数の入力用キーである。ハードディスクキー２２は映像信号の記録及び再生をＨＤＤ６ａを用いてハードディスク５ａに行うことを選択することを受け付けるキーである。ＤＶＤキー２３は映像信号の記録及び再生をＤＶＤドライブ６ｂを用いてＤＶＤ５ｂに行うことを受け付けるキーである。チャプター指定キー２４は、チャプターを指定することを受け付けるキーである。
【００６０】
再生キー２５は映像信号の再生の開始を受け付けるキーである。停止キー２６は映像信号の再生の停止を受け付けるキーである。録画キー３８はチューナ１６より与えられる映像信号をハードディスク５ａ又はＤＶＤ５ｂに記録することを受け付けるキーである。ダビングキー２７はハードディスク５ａに記録されている映像信号をＤＶＤ５ｂに又はＤＶＤ５ｂに記録されている映像信号をハードディスク５ａに記録することを受け付けるキーである。
【００６１】
ジャンプキー２８ａ及び２８ｂは第１のジャンプ処理によって再生箇所を正負にそれぞれジャンプさせることを受け付けるキーである。第１のジャンプ処理は再生箇所を制御部７に設定されている時間Ｔ１分正又は負方向にジャンプさせる処理である。
【００６２】
ジャンプキー２９ａ及び２９ｂは第２のジャンプ処理によって再生箇所を正負にそれぞれジャンプさせることを受け付けるキーである。
【００６３】
チャプター数変更キー３０は、チャプター自動付与処理によって設定されるチャプター数を変更することを受け付けるキーである。チャプター追加キー３１は編集者によって任意の箇所にチャプターを追加することを受け付けるキーである。
【００６４】
分割値変更キー３２は第２のジャンプ処理で必要となる分割値ｍを変更することを受け付けるキーである。チャプター解除キー３３は映像信号に設定されたチャプターを解除することを受け付けるキーである。
【００６５】
比率変更キー３４はチャプター自動付与処理の際にチャプター間の比率を設定することを受け付けるキーである。ジャンプ時間変更キー３７は第１のジャンプ処理でジャンプする時間の変更を受け付けるキーである。チャプター自動設定キー３５はチャプター自動設定をすることを受け付けるキーである。電源キー３６はレコーダ本体１の電源をオン／オフするのを受け付けるキーである。
【００６６】
なお、操作キー１３はリモートコントローラ２で使用頻度の高いもの及びＤＶＤ５ｂをＤＶＤドライブ６ｂから取り出すことを制御部７へ指示する取り出しキー等を有する。
【００６７】
図３及び図４は制御部７での処理の手順を示すフローチャートである。電源キー３６の操作によって電源がオンとなった場合、制御部７はまず初期化を行う（Ｓ１）。初期化によって、制御部７は内蔵の記憶部に記憶されている最後に電源がオフされた直前の設定にしたがって、チャプター数ｎ（ｎは自然数）、分割値ｍ（ｍは自然数）、比率Ｒ（ｉ）（ただし、ｉ＝１，・・・，ｎ、Ｒ（ｉ）は実数）等の設定を行う。
【００６８】
次に、制御部７はＤＶＤキー２３の入力操作を受け付けたか否かを判断する（Ｓ２）。ＤＶＤキー２３の入力操作を受け付けた場合、制御部７は、図５に示す第１のタイトル選択処理（Ｓ３）を行い、処理をステップＳ２に戻す。ＤＶＤキー２３の入力操作を受け付けていない場合、制御部７はハードディスクキー２２の入力操作を受け付けたか否かを判断する（Ｓ４）。
【００６９】
ハードディスクキー２２の入力操作を受け付けた場合、制御部７は、図６に示す第２のタイトル選択処理（Ｓ５）を行い、処理をステップＳ２に戻す。
【００７０】
ハードディスクキー２２の入力操作を受け付けていない場合、制御部７は再生キー２５の入力操作を受け付けたか否かを判断する（Ｓ６）。再生キー２５の入力操作を受け付けた場合、制御部７はハードディスクキー２２及びＤＶＤキー２３で選択されたハードディスク５ａ又はＤＶＤ５ｂから映像信号の再生（Ｓ７）を行い、処理をステップＳ２に戻す。再生キー２５の入力操作を受け付けていない場合、制御部７は停止キー２６の入力操作を受け付けたか否かを判断する（Ｓ８）。
【００７１】
停止キー２６の入力操作を受け付けた場合、制御部７は映像信号の再生及び録画を停止し（Ｓ９）、処理をステップＳ２に戻す。停止キー２６の入力操作を受け付けていない場合、制御部７はジャンプキー２８ａ又は２８ｂの入力操作を受け付けたか否かを判断する（Ｓ１０）。
【００７２】
ジャンプキー２８ａ又は２８ｂの入力操作を受け付けた場合、制御部７は第１のジャンプ処理により、再生箇所を記憶部に記憶している時間Ｔ１分だけ正負にそれぞれジャンプさせ（Ｓ１１）、処理をステップＳ２に戻す。例えば、図２１に示すように、時間Ｔ１を１０分に設定している場合、再生箇所が映像の開始より１５分経過している時点で、ジャンプキー２８ａの入力操作を受け付けたとき、制御部７は再生箇所を１０分進めて開始から２５分の時点から再生する。再生箇所が映像の開始より１５分経過している時点で、ジャンプキー２８ｂの入力操作を受け付けた場合、制御部７は再生箇所を１０分戻して映像の開始より５分経過している時点から再生する。
【００７３】
ジャンプキー２８ａ又は２８ｂの入力操作を受け付けていない場合、制御部７はジャンプキー２９ａ又は２９ｂの入力操作を受け付けたか否かを判断する（Ｓ１２）。ジャンプキー２９ａ又は２９ｂの入力操作を受け付けたとき、制御部７は、図７に示す第２のジャンプ処理（Ｓ１３）を行い、処理をステップＳ２に戻す。第２のジャンプ処理（Ｓ１３）によって、映像信号の記録時間（総記録時間）を制御部７に内蔵の記憶部に記憶されている分割値ｍで等分した時間分だけ再生箇所がジャンプする。
【００７４】
なお、第１のジャンプ処理（Ｓ１１）及び第２のジャンプ処理（Ｓ１３）は映像信号をＨＤＤ６ａ又はＤＶＤドライブ６ｂで再生している場合及び再生を停止している場合に機能する。
【００７５】
ジャンプキー２９ａ又は２９ｂの入力操作を受け付けていない場合、制御部７はチャプター指定キー２４の入力操作を受け付けたか否かを判断する（Ｓ１４）。チャプター指定キー２４の入力操作を受け付けた場合、制御部７は、図８に示す、数字キー２１の入力操作で受け付けた数で指定されるチャプターに再生箇所が移動するチャプター指定処理（Ｓ１５）を行い、処理をステップＳ２に戻す。
【００７６】
チャプター指定キー２４の入力操作を受け付けていない場合、制御部７はチャプター自動設定キー３５の入力操作を受け付けたか否かを判断する（Ｓ１６）。チャプター自動設定キー３５の入力操作を受け付けた場合、制御部７は、図９及び図１０に示す、ハードディスク５ａ又はＤＶＤ５ｂに記録されている映像信号に自動的にチャプターを設定するチャプター自動設定処理（Ｓ１７）を行い、処理をステップＳ２に戻す。
【００７７】
チャプター自動設定キー３５の入力操作を受け付けていない場合、制御部７はジャンプ時間変更キー３７の入力操作を受け付けたか否かを判断する（Ｓ１８）。ジャンプ時間変更キー３７の入力操作を受け付けた場合、制御部７は、図１４に示すジャンプ時間Ｔ１の変更処理（Ｓ１９）を行い、処理をステップＳ２に戻す。
【００７８】
ジャンプ時間変更キー３７の入力操作を受け付けていない場合、制御部７は分割値変更キー３２の入力操作を受け付けたか否かを判断する（Ｓ２０）。分割値変更キー３２の入力操作を受け付けた場合、制御部７は、図１５に示す、第２のジャンプ処理（Ｓ１３）で記録時間を等分してジャンプ時間Ｔ２を求めるときに使用される分割値ｍの変更処理（Ｓ２１）を行い、処理をステップＳ２に戻す。
【００７９】
分割値変更キー３２の入力操作を受け付けていない場合、制御部７はダビングキー２７の入力操作を受け付けたか否かを判断する（Ｓ２２）。ダビングキー２７の入力操作を受け付けた場合、制御部７は、図１６に示すダビング処理（Ｓ２３）を行い、処理をステップＳ２に戻す。
【００８０】
ダビングキー２７の入力操作を受け付けていない場合、制御部７は録画キー３８の入力操作を受け付けたか否かを判断する（Ｓ２４）。録画キー３８の入力操作を受け付けた場合、制御部７はチューナ１６より入力される映像信号をハードディスクキー２２又はＤＶＤキー２３で選択されているハードディスク５ａ又はＤＶＤ５ｂに記録するのを開始し（Ｓ２５）、処理をステップＳ２に戻す。
【００８１】
録画キー３８の入力操作を受け付けていない場合、制御部７は数字キー２１の入力操作を受け付けたか否かを判断する（Ｓ２６）。数字キー２１の入力操作を受け付けた場合、制御部７は受け付けた数で特定されるチャンネルで選局をすることを決定し（Ｓ２７）、処理をステップＳ２を戻す。数字キー２１の入力操作を受け付けていない場合、制御部７は処理をステップＳ２に戻す。
【００８２】
図５は第１のタイトル選択処理のフローチャートである。第１のタイトル選択処理はＤＶＤキー２３の入力操作により実行される。第１のタイトル選択処理によって、ＤＶＤ５ｂに対して映像信号の記録・再生・編集を行うことが決定され、ＤＶＤ５ｂに記録されている映像信号のタイトルが数字キー２１の入力操作で選択される。
【００８３】
まず制御部７は、ＤＶＤ５ｂの取り出しキーの入力操作及びＤＶＤドライブ６ｂのレーザ光照射によって、ＤＶＤ５ｂがＤＶＤドライブ６ｂに装填されているか否かを判断する（Ｓ２８）。
【００８４】
制御部７は、取り出しキーが入力操作され、ＤＶＤ５ｂがＤＶＤドライブ６ｂから取り出されたときにはＤＶＤ５ｂがＤＶＤドライブ６ｂに装填されていないと判断し、レーザ光の照射によってＤＶＤ５ｂからの反射光が検出されたときにはＤＶＤ５ｂがＤＶＤドライブ６ｂに装填されていると判断し、反射光が検出されないときにはＤＶＤ５ｂがＤＶＤドライブ６ｂに装填されていないと判断する。
【００８５】
ＤＶＤ５ｂがＤＶＤドライブ６ｂに装填されていない場合、制御部７は処理をリターンする。ＤＶＤ５ｂがＤＶＤドライブ６ｂに装填されている場合、制御部７はＤＶＤ５ｂに記録されている映像信号のすべてのタイトルの代表画像をＤＶＤドライブ６ｂから読み込む（Ｓ２９）。次に、制御部７はすべての読み込んだ代表画像を映像出力部１０へ出力し、液晶ディスプレイ３に表示させる（Ｓ３０）。次に、制御部７は数字キー２１の入力操作を受け付けたか否かを判断する（Ｓ３１）。数字キー２１の入力操作を受け付けていない場合、制御部７はステップＳ３１の判断を繰り返す。数字キー２１の入力操作を受け付けた場合、制御部７は受け付けた数で指定されるタイトルに対して再生・編集等を行うことを決定する（Ｓ３２）。
【００８６】
図６は第２のタイトル選択処理のフローチャートである。第２のタイトル選択処理は、ハードディスクキー２２の入力操作により実行される。第２のタイトル選択処理によって、ハードディスク５ａに対して映像信号の記録・再生・編集が行うことが決定され、ハードディスク５ａに記録されている映像信号のタイトルが数字キー２１の入力操作で選択される。
【００８７】
まず制御部７はハードディスク５ａに記録されている映像信号のすべてのタイトルの代表画像をＨＤＤ６ａから読み込む（Ｓ３３）。次に、制御部７はすべての読み込んだ代表画像を映像出力部１０へ出力し、液晶ディスプレイ３に表示させる（Ｓ３４）。次に、制御部７は数字キー２１の入力操作を受け付けたか否かを判断する（Ｓ３５）。数字キー２１の入力操作を受け付けていない場合、制御部７はステップＳ３５の判断を繰り返す。数字キー２１の入力操作を受け付けた場合、制御部７は受け付けた数で指定されるタイトルに対して再生・編集等を行うことを決定する（Ｓ３６）。
【００８８】
図７は第２のジャンプ処理のフローチャートである。第２のジャンプ処理は、ジャンプキー２９ａ又は２９ｂの入力操作により実行される。第２のジャンプ処理によって、記録時間を分割値ｍで等分した時間分だけ再生箇所がジャンプする。
【００８９】
まず制御部７は決定したタイトルの映像信号の記録時間をハードディスクキー２２又はＤＶＤキー２３で選択されているハードディスク５ａ又はＤＶＤ５ｂから読み込む（Ｓ３７）。次に、制御部７は記録時間を分割値ｍで除算して記録時間Ｔ２を求め、制御部７に内蔵の記憶部に記憶する（Ｓ３８）。制御部７はジャンプキー２９ａの入力操作を受け付けた場合は再生箇所を時間Ｔ２だけ進め、ジャンプキー２９ｂの入力操作を受け付けた場合は再生箇所を時間Ｔ２だけ戻す（Ｓ３９）。
【００９０】
したがって、図２２（ａ）に示すように、記録時間の短い映像信号に対してはジャンプする時間Ｔａは短くなり、図２２（ｂ）に示すように、記録時間の長い映像信号に対してはジャンプする時間Ｔｂは長くなる。したがって、映像信号記録時間に応じてジャンプする時間が自動的に調節される。
【００９１】
図８はチャプター指定処理のフローチャートである。チャプター指定処理は、チャプター指定キー２４の入力操作により実行される。チャプター指定処理によって、数字キー２１の入力操作で受け付けた数で指定されるチャプターに再生箇所が移動する。
【００９２】
まず制御部７は数字キー２１の入力操作を受け付けたか否かを判断する（Ｓ４０）。入力操作を受け付けていない場合、制御部７はステップＳ４０の判断を繰り返す。入力操作を受け付けた場合、制御部７は、受け付けた数で指定されるチャプターに再生箇所を移動させ、リターンする（Ｓ４１）。
【００９３】
図９及び図１０はチャプター自動設定処理のフローチャートである。チャプター自動設定処理は、チャプター自動設定キー３５の入力操作により実行される。チャプター自動設定処理によって、映像信号にチャプターが自動的に設定されるとともに、チャプターの追加、解除等も可能である。
【００９４】
まず制御部７は、決定したタイトルが記録されている映像信号の記録時間をＨＤＤ６ａ又はＤＶＤドライブ６ｂから読み込む（Ｓ４２）。
【００９５】
次に、制御部７は、記録時間と内蔵の記憶部に記憶している比率Ｒ（ｉ）との積から比率Ｒ（ｉ）の和を除算することによって各チャプターの間隔ｔ（ｉ）を求める（Ｓ４３）。比率Ｒ（ｉ）はｉ番目のチャプターの間隔の比率である。次に、制御部７は求めた間隔ｔ（ｉ）にしたがってチャプターを設定し、内蔵の記憶部に記憶する（Ｓ４４）。
【００９６】
次に、制御部７はチャプター数変更キー３０の入力操作を受け付けたか否かを判断する（Ｓ４５）。入力操作を受け付けた場合、制御部７は、図１１に示すチャプター数ｎの変更処理（Ｓ４６）を行い、処理をステップＳ４３に戻す。
【００９７】
入力操作を受け付けていない場合、制御部７は比率変更キー３４の入力操作を受け付けたか否かを判断する（Ｓ４７）。入力操作を受け付けた場合、制御部７は、図１２に示す比率Ｒ（ｉ）変更処理（Ｓ４８）を行い、処理をステップＳ４３に戻す。
【００９８】
入力操作を受け付けていない場合、制御部７はチャプター追加キー３１の入力操作を受け付けたか否かを判断する（Ｓ４９）。入力操作を受け付けた場合、制御部７は再生中の箇所又は再生を停止している箇所にチャプターを追加し（Ｓ５０）、処理をステップＳ４３に戻す。
【００９９】
入力操作を受け付けていない場合、制御部７はチャプター解除キー３３の入力操作を受け付けたか否かを判断する（Ｓ５１）。入力操作を受け付けた場合、制御部７は、図１３に示すチャプター解除処理（Ｓ５２）を行い、処理をステップＳ４３に戻す。
【０１００】
チャプター解除キー３３の入力操作を受け付けていない場合、制御部７はチャプター自動設定キー３５の入力操作を受け付けたか否かを判断する（Ｓ５３）。チャプター自動設定キー３５の入力操作を受け付けた場合、制御部７は処理をステップＳ４５に戻す。チャプター自動設定キー３５の入力操作を受け付けていない場合、制御部７は処理をリターンする。
【０１０１】
例えば、図１７（ａ）に示すように、チャプター数ｎが５で、比率Ｒ（ｉ）＝１（ただし、ｉ＝１，・・・，５）に設定されている場合、記録時間が３０分である映像信号には、６分ごとに５つのチャプターが自動的に設定される。また、図１７（ｂ）に示すように、記録時間が４５分である映像信号には９分ごとに５つのチャプターが自動的に設定される。したがって、映像信号の記録時間に関係なく、チャプター数ｎのチャプターが設定され、制御部７に内蔵の記憶部に記憶される。
【０１０２】
また、複数のタイトルの映像信号が記録されている場合、第１のタイトル選択処理（Ｓ３）又は第２のタイトル選択処理（Ｓ５）で選択されたタイトルに制御部７はチャプター自動設定処理を行う。したがって、図２０に示すように、映像信号の記録時間が３０分であるタイトル１と、映像信号の記録時間が３０分であるタイトル２と、映像信号の記録時間が６０分であるタイトル３とが記録されている場合、タイトル１、２、３それぞれに同一設定でチャプター自動設定処理を行ったとき、制御部７は、タイトル１及び２の映像信号に間隔ｔ１でチャプターを設定し、タイトル３の映像信号に間隔ｔ１の２倍の間隔でチャプターを設定する。
【０１０３】
図１１はチャプター数ｎ変更処理のフローチャートである。チャプター数ｎ変更処理は、チャプター自動設定処理においてチャプター数変更キー３０の入力操作により実行される。チャプター数ｎ変更処理によって、チャプター自動設定処理で設定されるチャプター数ｎが数字キー２１の入力操作で設定され、制御部７に内蔵の記憶部に記憶される。
【０１０４】
まず制御部７は数字キー２１の入力操作を受け付けたか否かを判断する（Ｓ５５）。入力操作を受け付けていない場合、制御部７はステップＳ５５の判断を繰り返す。入力操作を受け付けた場合、制御部７は受け付けた数にチャプター数ｎを設定して内蔵の記憶部に記憶する（Ｓ５６）。
【０１０５】
次に、制御部７は、内蔵の記憶部に記憶されているチャプター数ｎが更新によって変更されたか否かを判断する（Ｓ５７）。変更されていない場合、制御部７は処理をリターンする。変更されている場合、制御部７は比率Ｒ（ｉ）（ただし、ｉ＝１，・・・，ｎ）を１にして制御部７に内蔵の記憶部に記憶してリターンする（Ｓ５８）。
【０１０６】
例えば、チャプター数ｎを５から４に変更した場合、３０分の記録時間の映像信号に対しては、図１８（ａ）に示すように、６分間隔で５つのチャプターが設定された状態から、図１８（ｂ）に示すように、７．５分間隔で４つのチャプターが設定された状態になる。
【０１０７】
図１２は比率Ｒ（ｉ）変更処理のフローチャートである。比率Ｒ（ｉ）変更処理は、チャプター自動設定処理において、比率変更キー３４の入力操作により実行される。比率Ｒ（ｉ）変更処理によって、チャプターの間隔の比率Ｒ（ｉ）が設定され、制御部７に内蔵の記憶部に記憶される。
【０１０８】
まず制御部７は内蔵の記憶部に記憶されている比率Ｒ（ｉ）（ただし、ｉ＝１，・・・，ｎ）を映像出力部１０へ出力し、液晶ディスプレイ３に表示させる（Ｓ６０）。次に、制御部７は比率変更キー３４の入力操作を受け付けたか否かを判断する（Ｓ６１）。
【０１０９】
比率変更キー３４の入力操作を受け付けた場合、制御部７は比率Ｒ（ｉ）の映像出力部１０への出力を終了し、液晶ディスプレイ３での比率Ｒ（ｉ）の表示を消去させ（Ｓ６６）、リターンする。
【０１１０】
比率変更キー３４の入力操作を受け付けていない場合、制御部７はジャンプキー２８ａ、２８ｂ、２９ａ又は２９ｂの入力操作を受け付けたか否かを判断する（Ｓ６２）。入力操作を受け付けた場合、制御部７は入力操作にしたがって比率Ｒ（ｉ）の入力操作を受け付けるチャプターを選択する（Ｓ６３）。
【０１１１】
入力操作を受け付けていない場合及びステップＳ６３の処理後に、制御部７は数字キー２１の入力操作を受け付けたか否かを判断する（Ｓ６４）。入力操作を受け付けていない場合、制御部７は処理をステップＳ６２に戻す。入力操作を受け付けた場合、制御部７は受け付けた数に比率Ｒ（ｉ）を設定して内蔵の記憶部に記憶し（Ｓ６５）、処理をステップＳ６０に戻す。
【０１１２】
例えば、チャプター数ｎが４で、比率Ｒ（１）：Ｒ（２）：Ｒ（３）：Ｒ（４）＝１：３：１：１に設定されている場合、図１９に示すように、制御部７は、映像信号の開始から順に時間ｔ、３ｔ、ｔ、ｔとなるようにチャプターを設定する。したがって、映像信号の重要箇所付近に密にチャプターを設定することができる。
【０１１３】
図１３はチャプター解除処理のフローチャートである。チャプター解除処理は、チャプター自動設定処理において、チャプター解除キー３３の入力操作により実行される。チャプター解除処理によって、数字キー２１の入力操作で指定されるチャプターの設定が解除される。
【０１１４】
まず制御部７はチャプター数ｎを映像出力部１０へ出力し、液晶ディスプレイ３に表示させる（Ｓ７０）。次に、制御部７は数字キー２１の入力操作を受け付けたか否かを判断する（Ｓ７１）。入力操作を受け付けていない場合、制御部７はステップＳ７１の判断を繰り返す。入力操作を受け付けた場合、制御部７は受け付けた数で指定されるチャプターの設定を解除する（Ｓ７２）。
【０１１５】
次に、制御部７は映像出力部１０へのチャプター数ｎの出力を終了し、液晶ディスプレイ３でのチャプター数ｎの表示を消去させ（Ｓ７３）、リターンする。
【０１１６】
図１４はジャンプ時間Ｔ１の変更処理のフローチャートである。ジャンプ時間Ｔ１の変更処理は、ジャンプ時間変更キー３７の入力操作により実行される。ジャンプ時間Ｔ１の変更処理によって、第１のジャンプ処理でジャンプする時間Ｔ１が数字キー２１の入力操作で設定され、制御部７に内蔵の記憶部に記憶される。
【０１１７】
まず制御部７は数字キー２１の入力操作を受け付けたか否かを判断する（Ｓ７５）。入力操作を受け付けていない場合、制御部７はステップＳ７５の判断を繰り返す。入力操作を受け付けた場合、制御部７はジャンプ時間Ｔ１を受け付けた数に設定して内蔵の記憶部に記憶し、リターンする（Ｓ７６）。
【０１１８】
図１５は分割値ｍの変更処理のフローチャートである。分割値ｍの変更処理は分割値変更キー３２の入力操作により実行される。分割値ｍの変更処理によって、第２のジャンプ処理で使用される分割値ｍが数字キー２１の入力操作で設定され、制御部７に内蔵の記憶部に記憶される。
【０１１９】
まず制御部７は数字キー２１の入力操作を受け付けたか否かを判断する（Ｓ８０）。入力操作を受け付けていない場合、制御部７はステップＳ８０の判断を繰り返す。入力操作を受け付けた場合、制御部７は分割値ｍを受け付けた数に設定して内蔵の記憶部に記憶し、リターンする（Ｓ８１）。
【０１２０】
図１６はダビング処理のフローチャートである。ダビング処理は、ダビングキー２７の入力操作により実行される。ダビング処理によって、ハードディスク５ａ又はＤＶＤ５ｂの一方に記録されている映像信号が他方に記録される。このとき、自動設定されたチャプターは解除される。
【０１２１】
まず制御部７は自動的に設定されたチャプターを解除する（Ｓ８５）。これによって編集者が入力したチャプターが残る。次に、制御部７はハードディスク５ａ又はＤＶＤ５ｂのチャプターの設定を行った方から映像信号を読み込む（Ｓ８６）。次に、制御部７はＤＶＤドライブ６ｂ又はＨＤＤ６ａのチャプターの設定を行っていない方へ映像信号を出力し、ハードディスク５ａ又はＤＶＤ５ｂに映像信号を記録し、リターンする（Ｓ８７）。
【０１２２】
図２３（ａ）に、編集によってチャプターが設定された映像信号の一例を示す。符号Ｆ１〜Ｆ５は制御部７によって自動的に映像信号に設定されたチャプターを示している。符号Ｅ１は編集者によって入力されたチャプターを示している。符号Ｅ２はチャプターＦ５を利用して編集者によって入力されたチャプターを示している。
【０１２３】
編集済の映像信号をダビングするとき、制御部７は、図２３（ｂ）に示すように、編集者が入力したチャプターＥ１及びＥ２を残し、制御部７が自動的に設定したチャプターＦ１〜Ｆ５を解除する。したがって、ダビングされた映像信号は編集者が見たい場面にチャプターが入力されたものとなり、アクセスが簡単に行える。
【０１２４】
以上のように、制御部７によって自動的に映像信号に設定されたチャプターから特定のチャプターを指定することにより、編集者は再生箇所を指定することができる。また、タイムジャンプキーも使用でき、編集者が映像信号から見たい場面を探してチャプターを設定する。
【０１２５】
このとき、制御部７によって自動的に設定されたチャプターを編集者が設定するチャプターとしてもよい。また、編集者が一旦設定したチャプターを解除することもできる。制御部７が自動的に設定したチャプターで不要なチャプターを解除することができる。
【０１２６】
また、本実施形態のレコーダ本体１では、ハードディスク５ａ及びＤＶＤ５ｂに記録されている映像信号に自動的にチャプターが設定されるので、編集者は簡単に編集を行うことができる。また、タイムジャンプキー２８ａ、２８ｂ、２９ａ又は２９ｂで映像信号の再生箇所をジャンプすることができるので、編集者が見たい場面を探すのが簡単に行える。さらに、チャプターを自動的に設定するときのチャプター数ｎ、タイムジャンプするときの時間Ｔ及び分割値ｍを編集者が設定することができるので、編集が簡単に行える。
【０１２７】
なお、レコーダ本体１はハードディスク５ａ及びＤＶＤ５ｂ以外の記録媒体としてさらに磁気テープを用いてもよい。磁気テープに記録されている映像信号にチャプター自動設定処理によって自動的にチャプターが設定されるので、編集者はチャプターの指定又はタイムジャンプキーの操作によって頭出しと巻戻しを行うことができる。
【０１２８】
さらに、レコーダ本体１が取り扱う映像信号はデジタル信号とアナログ信号の何れでもよく、映像圧縮した映像信号と映像圧縮していない映像信号の何れでもよい。
【０１２９】
また、操作キー１３及びリモートコントローラ２に、「＋２分」、「＋１０分」、「−２分」及び「−１０分」のようにジャンプする時間が異なるタイムジャンプキーが設けられ、制御部７は、キー操作で入力された時間で再生箇所をジャンプするようにしてもよい。
【０１３０】
また、制御部７は比率Ｒ（ｉ）の設定をせず、記録時間をチャプター数ｎで等分して各チャプターの時間ｔとするように構成してあってもよい。
【図面の簡単な説明】
【０１３１】
【図１】本発明の実施形態であるレコーダのブロック図である。
【図２】レコーダのリモートコントローラの平面図である。
【図３】レコーダの制御部での処理の主要部のフローチャートである。
【図４】レコーダの制御部での処理の主要部のフローチャートである。
【図５】制御部での第１のタイトル選択処理のフローチャートである。
【図６】制御部での第２のタイトル選択処理のフローチャートである。
【図７】制御部での第２のジャンプ処理のフローチャートである。
【図８】制御部でのチャプター指定処理のフローチャートである。
【図９】制御部でのチャプター自動設定処理のフローチャートである。
【図１０】制御部でのチャプター自動設定処理のフローチャートである。
【図１１】制御部でのチャプター数ｎ変更処理のフローチャートである。
【図１２】制御部での比率Ｒ（ｉ）変更処理のフローチャートである。
【図１３】制御部でのチャプター解除処理のフローチャートである。
【図１４】制御部でのジャンプ時間Ｔ１の変更処理のフローチャートである。
【図１５】制御部での分割値ｍの変更処理のフローチャートである。
【図１６】制御部でのダビング処理のフローチャートである。
【図１７】レコーダがチャプターを自動的に設定する制御の説明図である。
【図１８】レコーダがチャプターを自動的に設定する制御の説明図である。
【図１９】レコーダがチャプターを自動的に設定する制御の説明図である。
【図２０】レコーダがチャプターを自動的に設定する制御の説明図である
【図２１】レコーダでのタイムジャンプ処理の説明図である。
【図２２】レコーダでのタイムジャンプ処理の説明図である。
【図２３】レコーダでのダビング処理の説明図である。
【符号の説明】
【０１３２】
１    レコーダ本体
２    リモートコントローラ
３    液晶ディスプレイ
５ａ    ハードディスク
５ｂ    ＤＶＤ
６ａ    ＨＤＤ
６ｂ    ＤＶＤドライブ
７    制御部
８    映像入力部
９    入力端子
１０    映像出力部
１１、１２    出力端子
１３    操作キー
１４    受信部
１５    アンテナ端子
１６    チューナ
【図１】
0004502925.tif 000002
【図２】
0004502925.tif 000003
【図３】
0004502925.tif 000004
【図４】
0004502925.tif 000005
【図５】
0004502925.tif 000006
【図６】
0004502925.tif 000007
【図７】
0004502925.tif 000008
【図８】
0004502925.tif 000009
【図９】
0004502925.tif 000010
【図１０】
0004502925.tif 000011
【図１１】
0004502925.tif 000012
【図１２】
0004502925.tif 000013
【図１３】
0004502925.tif 000014
【図１４】
0004502925.tif 000015
【図１５】
0004502925.tif 000016
【図１６】
0004502925.tif 000017
【図１７】
0004502925.tif 000018
【図１８】
0004502925.tif 000019
【図１９】
0004502925.tif 000020
【図２０】
0004502925.tif 000021
【図２１】
0004502925.tif 000022
【図２２】
0004502925.tif 000023
【図２３】
0004502925.tif 000024